(57)【要約】【課題】  本発明は、光ビームを安定して出力させるようにする。【解決手段】  本発明は、光ディスクからデータを再生する際に当該光ディスクに照射する光ビームの出力強度に応じた低域信号ＳＶＬｒを上限値ＵＬｒと比較する上限値比較器２７と、低域信号ＳＶＬｒを上限値ＵＬｒよりも小さい下限値ＬＬｒと比較する下限値比較器２８と、低域信号ＳＶＬｒが上限値ＵＬｒよりも大きい場合にはカウンタ値ＣＴｒを直前のカウンタ値ＣＴｒよりも減少させ、低域信号ＳＶＬｒが下限値ＬＬｒよりも小さい場合には当該カウンタ値ＣＴｒを直前のカウンタ値ＣＴｒよりも増加させ、低域信号ＳＶＬｒが上限値ＵＬｒ以下かつ下限値ＬＬｒ以上である場合にはカウンタ値ＣＴｒを直前のカウンタ値ＣＴｒのまま保持するアップダウンカウンタ２９とを設けるようにした。【選択図】        図２
2006196064.tif 000002
【特許請求の範囲】
【請求項１】
光ディスクにデータを書き込み又は当該光ディスクからデータを読み出す際に当該光ディスクに照射する光ビームの出力強度を制御する光ビーム出力制御装置であって、
上記光ビームの照射強度に応じた強度信号を所定の上限値と比較する上限値比較手段と、
上記強度信号を上記上限値よりも小さい所定の下限値と比較する下限値比較手段と、
上記強度信号が上記上限値よりも大きい場合には上記光ビームの出力強度を制御するための出力値を直前の出力値よりも減少させ、上記強度信号が上記下限値よりも小さい場合には当該出力値を直前の出力値よりも増加させ、上記強度信号が上記上限値以下かつ上記下限値以上である場合には当該出力値を直前の出力値のまま保持する出力値制御手段と
を具えることを特徴とする光ビーム出力制御装置。
【請求項２】
上記上限値と上記下限値との差分は、上記光ビーム出力制御装置に要求される上記光ビームの照射強度に対する許容誤差よりも小さく、かつ上記強度信号に含まれるノイズ成分よりも大きい
ことを特徴とする請求項１に記載の光ビーム出力制御装置。
【請求項３】
上記出力値制御手段は、
上記上限値と上記下限値との差分に相当する光量よりも小さい最小調整単位で上記出力値を調整することにより上記光ビームの出力強度を調整させる
ことを特徴とする請求項１に記載の光ビーム出力制御装置。
【請求項４】
上記上限値は、所定の基準値に所定の許容差を加算してなり、上記下限値は当該基準値から当該許容差を減算してなる
ことを特徴とする請求項１に記載の光ビーム出力制御装置。
【請求項５】
光ディスクにデータを書き込み又は当該光ディスクからデータを読み出す際に当該光ディスクに照射する光ビームの出力強度を制御する光ビーム出力制御方法であって、
上記光ビームの照射強度に応じた強度信号を所定の上限値と比較する上限値比較ステップと、
上記強度信号を上記上限値よりも小さい所定の下限値と比較する下限値比較ステップと、
上記強度信号が上記上限値よりも大きい場合には上記光ビームの出力強度を制御するための出力値を直前の出力値よりも減少させ、上記強度信号が上記下限値よりも小さい場合には当該出力値を直前の出力値よりも増加させ、上記強度信号が上記上限値以下かつ上記下限値以上である場合には当該出力値を直前の出力値のまま保持する出力値制御ステップと
を具えることを特徴とする光ビーム出力制御方法。
【請求項６】
光ディスクにデータを書き込み又は当該光ディスクからデータを読み出す際に当該光ディスクに照射する光ビームの出力強度を制御する光ビーム出力制御装置に対して、
上記光ビームの照射強度に応じた強度信号を所定の上限値と比較する上限値比較ステップと、
上記強度信号を上記上限値よりも小さい所定の下限値と比較する下限値比較ステップと、
上記強度信号が上記上限値よりも大きい場合には上記光ビームの出力強度を制御するための出力値を直前の出力値よりも減少させ、上記強度信号が上記下限値よりも小さい場合には当該出力値を直前の出力値よりも増加させ、上記強度信号が上記上限値以下かつ上記下限値以上である場合には当該出力値を直前の出力値のまま保持する出力値制御ステップと
を実行させることを特徴とする光ビーム出力制御プログラム。
【請求項７】
光ディスクにデータを書き込み又は当該光ディスクからデータを読み出す際に当該光ディスクに照射する光ビームの出力強度を制御する光ディスク装置であって、
上記光ビームを受光して当該光ビームの強度に応じた強度信号を生成する受光手段と、
上記強度信号を所定の上限値と比較する上限値比較手段と、
上記強度信号を上記上限値よりも小さい所定の下限値と比較する下限値比較手段と、
上記強度信号が上記上限値よりも大きい場合には上記光ビームの出力強度を制御するための出力値を直前の出力値よりも減少させ、上記強度信号が上記下限値よりも小さい場合には当該出力値を直前の出力値よりも増加させ、上記強度信号が上記上限値以下かつ上記下限値以上である場合には当該出力値を直前の出力値のまま保持する出力値制御手段と、
上記出力値に基づき上記出力強度を調整して上記光ビームを出力する光ビーム出力手段と
を具えることを特徴とする光ディスク装置。
【請求項８】
上記上限値と上記下限値との差分は、上記光ビーム出力制御装置に要求される上記光ビームの照射強度に対する許容誤差よりも小さく、かつ上記強度信号に含まれるノイズ成分よりも大きい
ことを特徴とする請求項７に記載の光ディスク装置。
【請求項９】
上記出力値制御手段は、
上記上限値と上記下限値との差分に相当する光量よりも小さい最小調整単位で上記出力値を調整することにより上記光ビームの出力強度を調整させる
ことを特徴とする請求項７に記載の光ディスク装置。
【請求項１０】
上記上限値は、所定の基準値に所定の許容差を加算してなり、上記下限値は当該基準値から当該許容差を減算してなる
ことを特徴とする請求項７に記載の光ディスク装置。
【請求項１１】
上記受光手段は、
上記光ビームを受光して生成した受光信号の低域成分のみを抽出することにより上記強度信号を生成する
ことを特徴とする請求項７に記載の光ディスク装置。
【請求項１２】
上記受光手段は、
所定の強度パターンでなる上記光ビームを受光して生成した受光信号のうち、当該強度パターンの所定部分に相当する一部の当該受光信号のみを取り出して上記強度信号を生成する
ことを特徴とする請求項７に記載の光ディスク装置。
【請求項１３】
上記光ビーム出力手段は、
上記許容差に相当する光量よりも小さい最小調整単位で上記出力強度を調整する
ことを特徴とする請求項７に記載の光ディスク装置。
【発明の詳細な説明】
【技術分野】
【０００１】
本発明は光ビーム出力制御装置及び光ディスク装置に関し、例えば光ディスクに照射するレーザ光の出力制御を行う光ディスク装置に適用して好適なものである。
【背景技術】
【０００２】
従来、ブルーレイディスク（商標）等の光ディスクにデータを記録し、また当該光ディスクからデータを再生するようになされた光ディスク装置が広く普及している。
【０００３】
このような光ディスク装置は、光ディスクにデータを記録する際、及び当該光ディスクからデータを再生する際に、それぞれ所定の出力強度に調整したレーザ光を当該光ディスクに照射することにより安定したデータの記録及び再生を行うことができる。
【０００４】
このため光ディスク装置は、例えばレーザダイオードから出射したレーザ光の一部をモニタ用のフォトディテクタにより受光し、このとき受光したレーザ光の強度に応じて、出射するレーザ光の出力強度をフィードバック制御するようになされており、さらに近年では、アップダウンカウンタを用いてレーザ光の出力強度をディジタル制御するようになされたものも提案されている。
【０００５】
この場合光ディスク装置は、レーザ光の出力強度に比例した強度信号を所定の基準値と比較し、このときの比較結果に応じてアップダウンカウンタの出力値を直前の出力値から増加（アップ）又は減少（ダウン）させ、当該出力値に基づいて当該レーザ光の出力強度を制御するようになされている（例えば、特許文献１参照）。
【特許文献１】特開２０００−３３９７３６公報（第８頁、第１図）
【発明の開示】
【発明が解決しようとする課題】
【０００６】
しかし、かかる構成の光ディスク装置においては、アップダウンカウンタが直前の出力値を増加又は減少させることにより次の出力値を生成するため、レーザ光の出力強度がほぼ所望の値に調整された適正な状態であっても、当該出力値を必ず増加又は減少させてしまい、この結果当該レーザ光の出力強度をふらつかせてしまう。
【０００７】
このような場合、光ディスク装置は、出力強度をふらつかせたレーザ光を光ディスクに照射することになるため、当該光ディスクへのデータの記録及び当該光ディスクからのデータの再生を安定して行うことができず、記録再生精度を低下させてしまうという問題があった。
【０００８】
本発明は以上の点を考慮してなされたもので、光ビームを安定して出力させ得る光ビーム出力制御装置及び光ディスクに対するデータの記録再生精度を向上し得る光ディスク装置を提案しようとするものである。
【課題を解決するための手段】
【０００９】
かかる課題を解決するため本発明の光ビーム出力制御装置においては、光ディスクにデータを書き込み又は当該光ディスクからデータを読み出す際に当該光ディスクに照射する光ビームの出力強度を制御する光ビーム出力制御装置であって、光ビームの照射強度に応じた強度信号を所定の上限値と比較する上限値比較手段と、強度信号を上限値よりも小さい所定の下限値と比較する下限値比較手段と、強度信号が上限値よりも大きい場合には光ビームの出力強度を制御するための出力値を直前の出力値よりも減少させ、強度信号が下限値よりも小さい場合には当該出力値を直前の出力値よりも増加させ、強度信号が上限値以下かつ下限値以上である場合には当該出力値を直前の出力値のまま保持する出力値制御手段とを設けるようにした。
【００１０】
これにより、強度信号が上限値以下かつ下限値以上である場合、出力値制御手段によって出力値を保持するため、光ビームの出力強度をふらつかせることなく安定させることができる。
【００１１】
また本発明の光ビーム出力制御方法においては、光ビームの照射強度に応じた強度信号を所定の上限値と比較する上限値比較ステップと、強度信号を上限値よりも小さい所定の下限値と比較する下限値比較ステップと、強度信号が上限値よりも大きい場合には光ビームの出力強度を制御するための出力値を直前の出力値よりも減少させ、強度信号が下限値よりも小さい場合には当該出力値を直前の出力値よりも増加させ、強度信号が上限値以下かつ下限値以上である場合には当該出力値を直前の出力値のまま保持する出力値制御ステップとを設けるようにした。
【００１２】
これにより、強度信号が上限値以下かつ下限値以上である場合、出力値制御手段によって出力値を保持するため、光ビームの出力強度をふらつかせることなく安定させることができる。
【００１３】
さらに本発明の光ビーム出力制御プログラムにおいては、光ディスクにデータを書き込み又は当該光ディスクからデータを読み出す際に当該光ディスクに照射する光ビームの出力強度を制御する光ビーム出力制御装置に実行させる光ビーム出力制御プログラムであって、光ビームの照射強度に応じた強度信号を所定の上限値と比較する上限値比較ステップと、強度信号を上限値よりも小さい所定の下限値と比較する下限値比較ステップと、強度信号が上限値よりも大きい場合には光ビームの出力強度を制御するための出力値を直前の出力値よりも減少させ、強度信号が下限値よりも小さい場合には当該出力値を直前の出力値よりも増加させ、強度信号が上限値以下かつ下限値以上である場合には当該出力値を直前の出力値のまま保持する出力値制御ステップとを設けるようにした。
【００１４】
これにより、強度信号が上限値以下かつ下限値以上である場合、出力値制御手段によって出力値を保持するため、光ビームの出力強度をふらつかせることなく安定させることができる。
【００１５】
さらに本発明の光ディスク装置においては、光ディスクにデータを書き込み又は当該光ディスクからデータを読み出す際に当該光ディスクに照射する光ビームの出力強度を制御する光ディスク装置であって、強度信号を所定の上限値と比較する上限値比較手段と、強度信号を上限値よりも小さい所定の下限値と比較する下限値比較手段と、強度信号が上限値よりも大きい場合には光ビームの出力強度を制御するための出力値を直前の出力値よりも減少させ、強度信号が下限値よりも小さい場合には当該出力値を直前の出力値よりも増加させ、強度信号が上限値以下かつ下限値以上である場合には当該出力値を直前の出力値のまま保持する出力値制御手段と、出力値に基づき出力強度を調整して光ビームを出力する光ビーム出力手段とを設けるようにした。
【００１６】
これにより、強度信号が上限値以下かつ下限値以上である場合、出力値制御手段によって出力値を保持し、光ビームの出力強度をふらつかせることなく安定させることができるので、光ディスクに安定してデータを記録し、また当該光ディスクから安定してデータを再生することができる。
【発明の効果】
【００１７】
本発明によれば、強度信号が上限値以下かつ下限値以上である場合、出力値制御手段によって出力値を保持するため、光ビームの出力強度をふらつかせることなく安定させることができ、かくして光ビームを安定して出力させ得る光ビーム出力制御装置を実現できる。
【００１８】
また本発明によれば、強度信号が上限値以下かつ下限値以上である場合、出力値制御手段によって出力値を保持し、光ビームの出力強度をふらつかせることなく安定させることができるので、光ディスクに安定してデータを記録し、また当該光ディスクから安定してデータを再生することができ、かくして光ディスクに対するデータの記録再生精度を向上し得る光ディスク装置を実現できる。
【発明を実施するための最良の形態】
【００１９】
以下、図面について、本発明の一実施の形態を詳述する。
【００２０】
（１）光ディスク装置の全体構成
図１において、１は本発明による光ディスク装置の全体構成を示しており、ブルーレイディスク（商標）でなる光ディスク（図示せず）にデータを書き込み、また当該光ディスクからデータを読み出すようになされている。
【００２１】
光ディスク装置１は、制御部２によって全体を統括制御するようになされており、光ディスクからデータを読み出すデータ読出命令を外部機器（図示せず）から受け付けると、当該データ読出命令に応じた制御信号ＣＮＴをレーザ駆動制御部５へ供給する。
【００２２】
書込パルス生成回路４は、後述する書込データ信号ＳＤＷが供給されていないときには読み出し用のタイミング信号ＴＳｒを生成し、これをレーザ駆動制御部５のレーザ出力制御部６へ供給する。
【００２３】
レーザ駆動制御部５は、制御信号ＣＮＴ及びタイミング信号ＴＳｒに基づきレーザ出力制御部６によりレーザ光の出力強度を規定するカウンタ値ＣＴを生成してレーザダイオード駆動部７へ供給する。レーザダイオード駆動部７は、カウンタ値ＣＴを基に駆動信号ＳＤを生成し、これをレーザダイオード８へ供給することにより、当該レーザダイオード８から当該駆動信号ＳＤに基づいた出力強度のレーザ光を出射させる（詳しくは後述する）。
【００２４】
モニタフォトディテクタ９は、レーザダイオード８から出射されたレーザ光をモニタするようになされており、受光したレーザ光の光量に応じた受光信号ＳＩを生成し、これをレーザ出力制御部６へ送出する。レーザ出力制御部６は、モニタフォトディテクタ９から取得した受光信号ＳＩに応じてカウンタ値ＣＴを変更し、これをレーザダイオード駆動部７へ供給する。
【００２５】
レーザダイオード駆動部７は、新たなカウンタ値ＣＴに基づいた駆動信号ＳＤを生成してレーザダイオード８へ供給することにより、フィードバック制御によって出力強度を調整したレーザ光をレーザダイオード８から出射させるようになされている（詳しくは後述する）。
【００２６】
一方フォトディテクタ１０は、レーザダイオード８から出射されて光ディスク（図示せず）により反射された反射レーザ光を受光し、これを光電変換することにより再生ＲＦ信号ＳＲＦを生成してＲＦ復調回路１１へ供給する。
【００２７】
ＲＦ復調回路１１は、再生ＲＦ信号ＳＲＦに対して所定のＲＦ復調処理を施すことによりアドレス信号ＳＡＤ及びデータ信号ＳＤＴを生成し、それぞれアドレス復号化回路１２及びデータ復号化回路１３へ供給する。
【００２８】
アドレス復号化回路１２は、アドレス信号ＳＡＤに対して所定の復号化処理を施すことによりアドレス値ＡＤに復号し、これを制御部２へ供給する。またデータ復号化回路１３は、データ信号ＳＤＴに対して所定の復号化処理を施すことによりデータＤＴに復号し、これを制御部２へ供給する。
【００２９】
制御部２は、アドレス値ＡＤ及びデータＤＴを基に再生データを生成し、これを外部機器（図示せず）へ送出することにより、当該外部機器からのデータ読出命令に対応するようになされている。
【００３０】
また制御部２は、外部機器からデータ書込命令と書き込むべきデータＤＷとを受け付けると、当該データ書込命令に応じた制御信号ＣＮＴをレーザ駆動制御部５へ供給すると共に、当該書込データＤＷを符号化回路３へ供給する。
【００３１】
符号化回路３は、書込データＤＷに対して所定の符号化処理を施すことにより書込データ信号ＳＤＷを生成し、これを書込パルス生成回路４へ供給する。
【００３２】
書込パルス生成回路４は、書込データ信号ＳＤＷを基に書込データパルスＰＤＷを生成してこれをレーザ駆動制御部５のレーザダイオード駆動部７へ供給し、またＲＦ復調回路１１から書込クロック信号ＷＣＫが供給されると、上述したタイミング信号ＴＳｒに加えて当該書込クロック信号ＷＣＫを基に書き込み用のタイミング信号ＴＳｗを生成し、当該タイミング信号ＴＳｒ及びＴＳｗをレーザ出力制御部６へ供給する（詳しくは後述する）。
【００３３】
レーザ出力制御部６は、制御信号ＣＮＴに基づきレーザ出力制御部６によりカウンタ値ＣＴを生成してレーザダイオード駆動部７へ供給する。レーザダイオード駆動部７は、カウンタ値ＣＴを基に駆動信号ＳＤを生成し、これを書込クロック信号ＷＣＫに合わせたタイミングでレーザダイオード８へ供給することにより、フィードバック制御によって当該レーザダイオード８から当該駆動信号ＳＤに基づいた出力強度のレーザ光を出射させる（詳しくは後述する）。
【００３４】
モニタフォトディテクタ９は、光ディスクからデータを読み出して再生する場合と同様、レーザダイオード８から受光したレーザ光の光量に応じた受光信号ＳＩを生成し、これをレーザ出力制御部６へ送出する。レーザ出力制御部６は、モニタフォトディテクタ９から取得した受光信号ＳＩに応じて新たなカウンタ値ＣＴを生成し、これをレーザダイオード駆動部７へ供給する。これに応じてレーザダイオード駆動部７は、出力強度を調整したレーザ光をレーザダイオード８から出射させる。
【００３５】
またＲＦ復調回路１１は、光ディスクにデータを書き込む際、再生ＲＦ信号ＳＲＦに対して所定のＲＦ復調処理を施すことにより書込クロック信号ＷＣＫを生成し、これを書込パルス生成回路４へ供給する。
【００３６】
これに応じて書込パルス生成回路４は、新たなデータパルスＰＤＷを生成すると共に新たなタイミング信号ＴＳｒ及びＴＳｗを生成するようになされている。
【００３７】
（２）レーザ駆動制御部５の回路構成
次に、レーザ駆動制御部５の回路構成について説明する。このレーザ駆動制御部５は、図２に示すように、大きくレーザ出力制御部６及びレーザダイオード駆動部７に分けられている。
【００３８】
レーザ出力制御部６は、ほぼ同等の回路構成でなるデータ読出用のレーザ出力制御部６ｒとデータ書込用のレーザ出力制御部６ｗとに分けられており、またダイオード駆動部７は、データ読出用のダイオード駆動部７ｒとデータ書込用のダイオード駆動部７ｗとに分けられている。
【００３９】
光ディスク装置１（図１）が光ディスク（図示せず）からデータを読み出す場合、レーザダイオード８は前段のダイオード駆動部７から供給される駆動信号ＳＤに基づいてレーザ光を出射し、モニタフォトディテクタ９はこのときのレーザ光の一部を受光して光電変換を行うことにより受光強度を電流の大きさで表した受光信号ＳＩを生成し、これをレーザ出力制御回路６の電流電圧変換回路２１へ供給する。
【００４０】
電流電圧変換回路２１は、受光信号ＳＩの電流値を電圧値に変換した強度信号ＳＶを生成し、これをレーザ出力制御部６ｒのサンプルホールド付ローパスフィルタ２２及びレーザ出力制御部６ｗのサンプルホールド付ローパスフィルタ４２へ供給する。
【００４１】
ところで光ディスク装置１は、ブルーレイディスク（商標）でなる光ディスクに対して標準規格の２倍速以上の高速記録・再生を行うべく、強度信号ＳＶの帯域を１００［ＭＨｚ］程度としている。
【００４２】
しかしながらレーザ出力制御部６ｒにおいては、フィードバック制御に必要な信号帯域は１［ＭＨｚ］以下の低域成分のみであり、この帯域以外の信号成分は不要である。
【００４３】
またレーザダイオード８は、駆動信号ＳＤに基づいて変調されたレーザ光を出射するものの、当該レーザ光には量子化ノイズ等のノイズ成分が含まれてしまう。モニタフォトディテクタ９により生成される受光信号ＳＩには、レーザダイオード８が実際に出射しているレーザ光以外にノイズ成分が含まれてしまう。さらにレーザ出力制御部６を構成する各回路においても、強度信号ＳＶ等の各信号に対してそれぞれ僅かずつノイズを重畳してしまう。
【００４４】
このように強度信号ＳＶにノイズが含まれる場合、当該強度信号ＳＶは、レーザダイオード８から出射された実際のレーザ光の出力強度からかけ離れた値となってしまうため、以降のフィードバック処理を正しく行えなくなる可能性がある。
【００４５】
ここでサンプルホールド付ローパスフィルタ２２は、図３に示すような回路構成を有しており、タイミング信号ＴＳｒに基づいてスイッチ６１を接続状態または切断状態に切り換えることにより強度信号ＳＶを所定期間のみ通過させ、抵抗６２及びコンデンサ６３をローパスフィルタとして機能させることにより当該強度信号ＳＶの低域成分のみを抽出した中間低域信号ＳＶＭを生成してバッファ６４に一時的に蓄積（サンプルホールド）し、さらにローパスフィルタ６５により当該中間低域信号ＳＶＭのうち所定のカットオフ周波数（１ＭＨｚ）以下の低域成分のみを抽出することにより低域信号ＳＶＬｒを生成して次段へ送出する。
【００４６】
すなわちサンプルホールド付ローパスフィルタ２２は、前段から入力された強度信号ＳＶをタイミング信号ＴＳｒに基づいてサンプルホールドすると共に、低域成分のみを抽出して低域信号ＳＶＬｒを生成するようになされている。
【００４７】
ちなみにサンプルホールド付ローパスフィルタ２２は、抵抗６２及びコンデンサ６３により構成されるローパスフィルタとローパスフィルタ６５とにより２段階で低域成分を抽出することにより、確実に低域成分を抽出するようになされている。
【００４８】
この結果サンプルホールド付ローパスフィルタ２２は、１００［ＭＨｚ］程度の帯域を有する強度信号ＳＶから１［ＭＨｚ］以上の信号成分及びノイズ成分を全て取り除くため、同時に低域信号ＳＶＬｒにおけるノイズ成分のパワーを当該強度信号ＳＶよりも格段に低減することができる。
【００４９】
レーザ出力制御回路６ｒ（図２）においてサンプルホールド付ローパスフィルタ２２は、このようにして生成した低域信号ＳＶＬｒを上限値比較器２７及び下限値比較器２８へ供給する。
【００５０】
基準値供給端子２３には、光ディスク装置１が光ディスクからデータを読み出す際にレーザダイオード８から出射すべきレーザ光の強度に相当する基準値ＲＥＦｒが制御部２（図１）からアナログ値として供給されており、当該基準値ＲＥＦｒは加算器２５及び２６へ供給される。
【００５１】
許容差供給端子２４（図２）には、制御部２（図１）から、光ディスク装置１が光ディスクからデータを読み出す際にレーザダイオード８から出射すべきレーザ光の強度における許容誤差を表す許容差ＡＥがアナログ値として供給されており、当該許容差ＡＥは加算器２５及び２６へ供給される。
【００５２】
ちなみに許容差ＡＥは、レーザダイオード８から出射すべきレーザ光の強度における実際の許容誤差よりもやや小さい値に設定されている。
【００５３】
加算器２５は、次式
【００５４】
ＵＬｒ＝ＲＥＦｒ＋ＡＥ        ……（１）
【００５５】
に従って基準値ＲＥＦｒに許容差ＡＥを加算することによりレーザ光の強度における上限値ＵＬｒを生成し、これを上限値比較器２７へ供給する。
【００５６】
加算器２６は、次式
【００５７】
ＬＬｒ＝ＲＥＦｒ−ＡＥ        ……（２）
【００５８】
に従って基準値ＲＥＦｒから許容差ＡＥを減算することによりレーザ光の強度における下限値ＬＬｒを生成し、これを下限値比較器２８へ供給する。
【００５９】
ここで基準値ＲＥＦｒ、上限値ＵＬｒ及び下限値ＬＬｒと低域信号ＳＶＬｒとの関係を図４（Ａ）に示す。この図４において公差ＴＬは、許容差ＡＥの２倍の大きさでなり、基準値ＲＥＦｒを中心として上限値ＵＬｒと下限値ＬＬｒとに挟まれた範囲を表している。すなわち、仮に低域信号ＳＶＬｒがこの公差ＴＬの範囲内に収まっていれば、このことはレーザダイオード８（図２）から出射すべきレーザ光の強度が許容誤差の範囲内に確実に収まっており、光ディスク（図示せず）からデータを安定して高精度に読み出し得ることを意味している。
【００６０】
実際上低域信号ＳＶＬｒは、図４（Ａ）に示したように駆動信号ＳＤ（図中一点鎖線で示す）に応じて変化するものの、各種ノイズ等の影響による微細な変動を有している。
【００６１】
ちなみに低域信号ＳＶＬｒは、強度信号ＳＶに含まれていたノイズ成分の多くがサンプルホールド付ローパスフィルタ２２（図２）により除去されているため、上述した微細変動の振幅が許容差ＡＥの大きさと比較して十分に小さくなっている。
【００６２】
上限値比較器２７（図２）は、サンプルホールド付ローパスフィルタ２２から供給された低域信号ＳＶＬｒと加算器２５から供給された上限値ＵＬｒとを比較し、図４（Ｂ）に示すように、当該低域信号ＳＶＬｒが当該上限値ＵＬｒよりも大きければ「Ｈ」を、また当該低域信号ＳＶＬｒが当該上限値ＵＬｒ以下であれば「Ｌ」を、それぞれカウンタ値減少信号ＣＤｒとしてアップダウンカウンタ２９へ供給する。
【００６３】
下限値比較器２８（図２）は、サンプルホールド付ローパスフィルタ２２から供給された低域信号ＳＶＬｒと加算器２６から供給された下限値ＬＬｒとを比較し、図４（Ｃ）に示すように、当該低域信号ＳＶＬｒが当該下限値ＬＬｒよりも小さければ「Ｈ」を、また当該低域信号ＳＶＬｒが当該下限値ＬＬｒ以上であれば「Ｌ」を、それぞれカウンタ値増加信号ＣＵｒとしてアップダウンカウンタ２９へ供給する。
【００６４】
アップダウンカウンタ２９は、図５に示すように、カウンタ値減少信号ＣＤｒ及びカウンタ値増加信号ＣＵｒに応じた読出カウンタ値ＣＴｒを生成して出力するようになされている。
【００６５】
すなわちアップダウンカウンタ２９に供給されたカウンタ値減少信号ＣＤｒが「Ｈ」かつカウンタ値増加信号ＣＵｒが「Ｌ」の場合、このことは図４（Ａ）においてこのときの低域信号ＳＶＬｒが公差ＴＬの範囲を逸脱し上限値ＵＬｒよりも大きいこと、すなわち駆動信号ＳＤｒの信号レベルが大きすぎることを表している。
【００６６】
このときアップダウンカウンタ２９は、当該図４（Ａ）において駆動信号ＳＤｒの信号レベルを減少させることにより当該低域信号ＳＶＬの信号レベルも減少させて公差ＴＬの範囲に収めるべく、ＶＣＯ（Voltage Controlled Oscillator）３０から供給されたクロック信号ＣＬＫのタイミングに合わせて、直前のカウント値ＣＴｒよりも「１」だけ減少させたカウント値ＣＴｒを生成してレーザダイオード駆動部７ｒの読出用ＤＡＣ（Digital Analog Converter）３１へ供給する。
【００６７】
またアップダウンカウンタ２９に供給されたカウンタ値減少信号ＣＤｒが「Ｌ」かつカウンタ値増加信号ＣＵｒが「Ｈ」の場合、このことは図４（Ａ）においてこのときの低域信号ＳＶＬｒが公差ＴＬの範囲を逸脱し下限値ＬＬｒよりも小さいこと、すなわち駆動信号ＳＤｒの信号レベルが低すぎることを表している。
【００６８】
このときアップダウンカウンタ２９は、当該図４（Ａ）において駆動信号ＳＤｒの信号レベルを増加させることにより当該低域信号ＳＶＬｒの信号レベルも増加させて公差ＴＬの範囲に収めるべく、クロック信号ＣＬＫのタイミングに合わせて、直前のカウント値ＣＴｒよりも「１」だけ増加させたカウント値ＣＴｒを生成して読出用ＤＡＣ３１へ供給する。
【００６９】
さらにアップダウンカウンタ２９に供給されたカウンタ値減少信号ＣＤが「Ｌ」かつカウンタ値増加信号ＣＵが「Ｌ」の場合、このことは図４（Ａ）においてこのときの低域信号ＳＶＬｒが公差ＴＬの範囲に含まれていることを表している。
【００７０】
このときアップダウンカウンタ２９は、当該図４（Ａ）において駆動信号ＳＤｒの信号レベルを敢えて変化させないことにより当該低域信号ＳＶＬｒの信号レベルも変化させずに公差ＴＬの範囲に収めた状態を維持させるべく、クロック信号ＣＬＫのタイミングに合わせて、直前のカウント値ＣＴｒのまま保持したカウント値ＣＴｒを読出用ＤＡＣ３１へ供給する。
【００７１】
ちなみにアップダウンカウンタ２９は、カウンタ値減少信号ＣＤｒが「Ｈ」かつカウンタ値増加信号ＣＵｒが「Ｈ」となることは原理的に無いものの、ノイズや各種エラー等の影響により一時的にこのような値が入力される可能性を考慮し、この場合にも直前のカウント値ＣＴｒのまま保持したカウント値ＣＴｒを読出用ＤＡＣ３１へ供給することにより誤動作を未然に防止するようになされている。
【００７２】
読出用ＤＡＣ３１は、アップダウンカウンタ２９から供給されたカウンタ値ＣＴｒに対してディジタルアナログ変換を施すことにより駆動信号ＳＤｒ０を生成し、これを加算器３２へ供給する。
【００７３】
ちなみに読出用ＤＡＣ３１は、カウント値ＣＴｒの「１」に相当する駆動信号ＳＤｒの１ステップが許容差ＡＥ（図４）の約１／８以下と十分に小さくなるようになされており、これにより当該カウント値ＣＴｒを「１」だけ変更した場合に低域信号ＳＶＬｒが公差ＴＬの範囲を飛び越えてしまうことがないようになされている。
【００７４】
加算器３２は、駆動信号ＳＤｒ０に高周波オシレータ３２から供給される高周波信号ＨＦを重畳することにより駆動信号ＳＤｒを生成し、これをレーザダイオード８へ供給する。レーザダイオード８は当該駆動信号ＳＤｒに基づいた出力強度のレーザ光を出射するようになされている。
【００７５】
これに応じてレーザ駆動制御部５は、再度レーザ光を受光して低域信号ＳＶＬｒを基にカウント値ＣＴｒを生成して駆動信号ＳＤｒをレーザダイオード８に供給するといった一連の動作を繰り返す。
【００７６】
このようにレーザ駆動制御部５は、光ディスク装置１（図１）が光ディスク（図示せず）からデータを読み出す場合、駆動信号ＳＤｒをフィードバック制御することにより、レーザダイオード８から出射するレーザ光の出力強度に相当する低域信号ＳＶＬｒを公差ＴＬ（図４）の範囲内に収めるようになされている。
【００７７】
また光ディスク装置１（図１）が光ディスク（図示せず）にデータを書き込む場合、レーザダイオード８は前段のダイオード駆動部７ｗから供給される駆動信号ＳＤｗに基づいてレーザ光を出射し、モニタフォトディテクタ９は受光信号ＳＩを生成してレーザ出力制御回路６の電流電圧変換回路２１へ供給する。電流電圧変換回路２１は、受光信号ＳＩの電流値を電圧値に変換した強度信号ＳＶを生成し、これをサンプルホールド付ローパスフィルタ２２及び４２へ供給する。
【００７８】
ところで光ディスク装置１は、図６に示すようないわゆるライトストラテジに基づいた駆動信号ＳＤｗをレーザダイオード８に供給している。このため電流電圧変換回路２１は、当該ライトストラテジに応じた波形でなる強度信号ＳＶを生成する。
【００７９】
レーザ出力制御部６ｗは、上述したレーザ出力制御部６ｒと同様の構成を有している。サンプルホールド付ローパスフィルタ４２は、サンプルホールド付ローパスフィルタ２２と同様に、図３に示した回路構成を有しているが、スイッチ６１にはレーザダイオード８に供給される駆動信号ＳＤｗと同期したタイミング信号ＴＳｗ及びタイミング信号ＴＳｒが書き込みパルス生成回路４（図１）から供給されている。
【００８０】
サンプルホールド付ローパスフィルタ４２は、タイミング信号ＴＳｗに基づき、図６に示したライトストラテジにおいてピークパワーとなる時刻ｔ３及びｔ４の間のみスイッチ６１（図３）を接続状態としてサンプルホールドを行い、さらに抵抗６２、コンデンサ６３及びローパスフィルタ６５により低域成分のみを抽出した低域信号ＳＶＬｗを生成し、これを上限値比較器４７及び下限値比較器４８へ供給する。
【００８１】
これによりサンプルホールド付ローパスフィルタ４２は、ライトストラテジに基づき信号レベルが様々に変化する強度信号ＳＶのうち、ほぼ一定の信号レベルとなるピークパワー時に相当する強度信号ＳＶを基に、信号レベルが安定した低域信号ＳＶＬｗを生成することができる。
【００８２】
一方サンプルホールド付ローパスフィルタ２２は、この書き込み時において、タイミング信号ＴＳｒに基づき、図６に示したライトストラテジにおいてリードパワーとなる時刻ｔ１及びｔ２の間のみスイッチ６１（図３）を接続状態としてサンプルホールドを行い、さらに抵抗６２、コンデンサ６３及びローパスフィルタ６５により低域成分のみを抽出した低域信号ＳＶＬｒを生成し、これを上限値比較器２７及び下限値比較器２８へ供給する。
【００８３】
これによりサンプルホールド付ローパスフィルタ２２は、ライトストラテジに基づき信号レベルが様々に変化する強度信号ＳＶのうち、ほぼ一定の信号レベルとなるリードパワー時に相当する強度信号ＳＶを基に、信号レベルが安定した低域信号ＳＶＬｒを生成することができる。
【００８４】
基準値供給端子４３には、制御部２（図１）により、光ディスク装置１（図１）が光ディスクにデータを書き込む際の、レーザダイオード８から出射すべきレーザ光の強度に相当する基準値ＲＥＦｗがアナログ値として供給されており、当該基準値ＲＥＦｗは加算器４５及び４６へ供給されている。
【００８５】
許容差値供給端子４４（図２）には、許容差値供給端子２４と同様に許容差ＡＥがアナログ値として供給されており、当該許容差ＡＥは加算器４５及び４６へ供給されている。
【００８６】
加算器４５は、加算器２５と同様に、次式
【００８７】
ＵＬｗ＝ＲＥＦｗ＋ＡＥ        ……（３）
【００８８】
に従って基準値ＲＥＦｗに許容差ＡＥを加算することにより上限値ＵＬｗを生成し、これを上限値比較器４７へ供給する。
【００８９】
加算器４６は、加算器２６と同様に、次式
【００９０】
ＬＬｗ＝ＲＥＦｗ−ＡＥ        ……（４）
【００９１】
に従って基準値ＲＥＦｗから許容差ＡＥを減算することにより下限値ＬＬｗを生成し、これを下限値比較器４８へ供給する。
【００９２】
上限値比較器４７は、上限値比較器２７と同様に低域信号ＳＶＬｗと上限値ＵＬｗとを比較し、図４（Ｂ）に示したように、当該低域信号ＳＶＬｗが当該上限値ＵＬｗよりも大きければ「Ｈ」を、また当該低域信号ＳＶＬｗが当該上限値ＵＬｗ以下であれば「Ｌ」を、それぞれカウンタ値減少信号ＣＤｗとしてアップダウンカウンタ４９へ供給する。
【００９３】
下限値比較器４８は、下限値比較器２８と同様に低域信号ＳＶＬｗと下限値ＬＬｗとを比較し、図４（Ｃ）に示したように、当該低域信号ＳＶＬｗが当該下限値ＬＬｗよりも小さければ「Ｈ」を、また当該低域信号ＳＶＬｗが当該下限値ＬＬｗ以上であれば「Ｌ」を、それぞれカウンタ値増加信号ＣＵｗとしてアップダウンカウンタ４９へ供給する。
【００９４】
アップダウンカウンタ４９は、アップダウンカウンタ２９と同様、図５に示したようにカウンタ値減少信号ＣＤｗ及びカウンタ値増加信号ＣＵｗに応じて読出カウンタ値ＣＴｗを増加、減少または保持させてレーザダイオード駆動部７ｗのＰｍａｘＤＡＣ５０へ供給する。
【００９５】
ＰｍａｘＤＡＣ５０は、アップダウンカウンタ４９から供給されたカウンタ値ＣＴｗに対してディジタルアナログ変換を施すことにより、書込用ＤＡＣ５２から出力する駆動信号ＳＤｗの最大振幅を規定するスケール信号ＳＣＬを生成し、これを書込用ＤＡＣ５２へ供給する。
【００９６】
ストラテジ生成回路５１は、書き込みパルス生成回路４（図１）から供給される書き込みパルス信号ＰＤＷに応じてストラテジデータＤＳＴを生成し、これを書込用ＤＡＣ５２へ供給する。
【００９７】
ちなみにストラテジ生成回路５１は、制御信号ＣＮＴに基づき、書き換え型や追記型といった光ディスクの種類に応じたストラテジデータＤＳＴを生成するようになされている。
【００９８】
書込用ＤＡＣ５２は、ストラテジ生成回路５１から供給されるストラテジデータＤＳＴを基に、スケール信号ＳＣＬに応じたスケールのアナログ信号でなる駆動信号ＳＤｗを生成し、これをレーザダイオード８へ供給する。これに応じてレーザダイオード８は当該駆動信号ＳＤｗに応じたレーザ光を出射するようになされている。
【００９９】
これに応じてレーザ駆動制御部５は、再度レーザ光を受光して低域信号ＳＶＬｗを基にカウント値ＣＴｗを生成して駆動信号ＳＤｗをレーザダイオード８に供給するといった一連の動作を繰り返す。
【０１００】
このようにレーザ駆動制御部５は、光ディスク装置１（図１）が光ディスク（図示せず）にデータを書き込む場合、光ディスクからデータを読み出す場合と同様に、駆動信号ＳＤｗをフィードバック制御することにより、レーザダイオード８から出射するレーザ光の出力強度に相当する低域信号ＳＶＬｗを公差ＴＬ（図４）の範囲内に収めるようになされている。
【０１０１】
（３）レーザ出力制御処理手順
ここで、レーザ駆動制御部５においてレーザダイオード８から出射するレーザ光の出力強度を制御するレーザ出力制御処理手順について、図７に示すフローチャートを用いて説明する。
【０１０２】
レーザ駆動制御部５は、外部機器からのデータ読出命令に応じた制御信号ＣＮＴ（図１）を光ディスク装置１の制御部２から受け付けると、レーザ出力制御処理手順ＲＴ１を開始してステップＳＰ１へ移る。
【０１０３】
ステップＳＰ１においてレーザ駆動制御部５は、レーザダイオード８から直前に出射したレーザ光の一部をモニタフォトディテクタ９により受光して電流電圧変換器２１により強度信号ＳＶを生成し、これをレーザ出力制御部６ｒのサンプルホールド付ローパスフィルタ２２へ供給して次のステップＳＰ２へ移る。
【０１０４】
ステップＳＰ２においてレーザ駆動制御部５は、サンプルホールド付ローパスフィルタ２２により強度信号ＳＶの低域成分を抽出して低域信号ＳＬＶｒを生成し、これを上限値比較器２７及び下限値比較器２８へ供給して次のステップＳＰ３へ移る。
【０１０５】
ステップＳＰ３においてレーザ駆動制御部５は、加算器２５により基準値ＲＥＦｒに許容差ＡＥを加算して上限値ＵＬｒを生成し、これを上限値比較器２７へ供給すると共に、加算器２６により基準値ＲＥＦｒから許容差ＡＥを減算することにより下限値ＬＬｒを生成し、これを下限値比較器２８へ供給して次のステップＳＰ４へ移る。
【０１０６】
ステップＳＰ４においてレーザ駆動制御部５は、上限値比較器２７により低域信号ＳＶＬｒと上限値ＵＬｒとを比較し、その比較結果に応じて図４（Ｂ）に示したようなカウンタ値減少信号ＣＤｒを生成して、これをアップダウンカウンタ２９へ供給して次のステップＳＰ５へ移る。
【０１０７】
ステップＳＰ５においてレーザ駆動制御部５は、下限値比較器２８により低域信号ＳＶＬｒと下限値ＬＬｒとを比較し、その比較結果に応じて図４（Ｃ）に示したようなカウンタ値増加信号ＣＵｒを生成して、これをアップダウンカウンタ２９へ供給して次のステップＳＰ６へ移る。
【０１０８】
ステップＳＰ６においてレーザ駆動制御部５は、アップダウンカウンタ２９により、カウンタ値減少信号ＣＤｒが「Ｈ」であったか、すなわち低域信号ＳＶＬｒが上限値ＵＬｒよりも大きかったか否かを判定する。ここで肯定結果が得られると、このことは低域信号ＳＶＬｒが上限値ＵＬｒよりも大きく、直前にレーザダイオード８から出射したレーザ光の出力強度が大きすぎたことを表しており、このときレーザ駆動制御部５は次のステップＳＰ７へ移る。
【０１０９】
ステップＳＰ７においてレーザ駆動制御部５は、アップダウンカウンタ２９により、直前のカウンタ値ＣＴｒから１を減算したカウンタ値ＣＴｒを生成し、次のステップＳＰ８へ移る。
【０１１０】
一方ステップＳＰ６において否定結果が得られると、レーザ駆動制御部５は、カウンタ値ＣＴｒを変更せずに次のステップＳＰ８へ移る。
【０１１１】
ステップＳＰ８においてレーザ駆動制御部５は、アップダウンカウンタ２９により、カウンタ値増加信号ＣＵｒが「Ｈ」であったか、すなわち低域信号ＳＶＬｒが下限値ＬＬｒよりも小さかったか否かを判定する。ここで肯定結果が得られると、このことは低域信号ＳＶＬｒが下限値ＬＬｒよりも小さく、直前にレーザダイオード８から出射したレーザ光の出力強度が小さすぎたことを表しており、このときレーザ駆動制御部５は次のステップＳＰ９へ移る。
【０１１２】
ステップＳＰ９においてレーザ駆動制御部５は、アップダウンカウンタ２９により直前のカウンタ値ＣＴｒに１を加算したカウンタ値ＣＴｒを生成し、次のステップＳＰ１０へ移る。
【０１１３】
これに対してステップＳＰ８において否定結果が得られると、このことはカウンタ値増加信号ＣＵｒが「Ｌ」であることを表しており、このときレーザ駆動制御部５は、カウンタ値ＣＴｒを変更せずに次のステップＳＰ１０へ移る。
【０１１４】
ここでカウンタ値減少信号ＣＤｒ及びカウンタ値増加信号ＣＵｒがいずれも「Ｌ」である場合、このことは低域信号ＳＶＬｒが上限値ＵＬｒと下限値ＬＬｒとの間にあり、直前にレーザダイオード８から出射したレーザ光の出力強度が公差ＴＬの範囲内に収まっていることを意味しており、カウンタ値ＣＴｒを敢えて変更する必要が無いことを表している。
【０１１５】
またカウンタ値減少信号ＣＤｒ及びカウンタ値増加信号ＣＵｒがいずれも「Ｈ」である場合、エラー発生等の可能性が高いためカウンタ値ＣＴｒを敢えて変更しないことが望ましい。このためレーザ駆動制御部５は、ステップＳＰ７において直前のカウンタ値ＣＴｒから１を減算し、さらにステップＳＰ９において直前のカウンタ値ＣＴｒに１を加算することにより、結果的にカウンタ値ＣＴｒを保持したまま変更せずに次のステップＳＰ１０へ移る。
【０１１６】
ステップＳＰ１０においてレーザ駆動制御部５は、カウンタ値ＣＴｒをレーザダイオード駆動部７ｒの読出用ＤＡＣ３１へ供給し、当該読出用ＤＡＣ３１及び高周波オシレータ３２等により駆動信号ＳＤｒを生成して、これをレーザダイオード８へ供給して次のステップＳＰ１２へ移る。
【０１１７】
ステップＳＰ１１においてレーザ駆動制御部５は、駆動信号ＳＤｒに基づいてレーザダイオード８からレーザ光を出射させ、再度ステップＳＰ１に戻る。
【０１１８】
ちなみにレーザ駆動制御部５は、外部機器からのデータ書込命令に応じた制御信号ＣＮＴを光ディスク装置１の制御部２から受け付けた場合にも、同様にレーザ出力制御処理手順ＲＴ１に従ってレーザ光の出力強度を制御するようになされている。
【０１１９】
（４）動作及び効果
以上の構成において、光ディスク装置１のレーザ駆動制御部５は、光ディスク（図示せず）からデータを読み出す際、レーザダイオード８から出射されたレーザ光を受光したときの強度信号ＳＶを基にサンプルホールド付ローパスフィルタ２２により低域成分のみを抽出して低域信号ＳＶＬｒを生成し、これを上限値比較器２７及び下限値比較器２８によりそれぞれ上限値ＵＬｒ及び下限値ＬＬｒと比較し、比較結果としてそれぞれカウンタ値減少信号ＣＤｒ及びカウンタ値増加信号ＣＵｒを生成する（図４）。
【０１２０】
さらにレーザ駆動制御部５は、アップダウンカウンタ２９により、カウンタ値減少信号ＣＤｒが「Ｈ」であった場合には直前のカウンタ値ＣＴｒから「１」減少させ、カウンタ値増加信号ＣＵｒが「Ｈ」であった場合には直前のカウンタ値ＣＴｒから「１」増加させ、カウンタ値減少信号ＣＤｒ及びカウンタ値増加信号ＣＵｒがいずれも「Ｌ」であった場合には直前のカウンタ値ＣＴｒを保持したまま変更せずにカウンタ値ＣＴｒを出力し、これに応じた駆動信号ＳＤｒを生成してレーザダイオード８からレーザ光を出射させる。
【０１２１】
従ってレーザ駆動制御部５は、カウンタ値減少信号ＣＤｒ及びカウンタ値増加信号ＣＵｒがいずれも「Ｌ」であった場合、直前のレーザ光の出力強度に相当する低域信号ＳＶＬｒが公差ＴＬの範囲に含まれた適正な状態であると見なし（図４（Ａ））、この状態を維持するべくアップダウンカウンタ２９から直前のカウント値ＣＴｒを保持したまま変化させずに当該カウント値ＣＴｒを出力することができる（図５）。
【０１２２】
特にこの場合レーザ駆動制御部５は、上限値比較器２７及び下限値比較器２８といった２つの比較器により低域信号ＳＶＬｒを上限値ＵＬｒ及び下限値ＬＬｒの両方と比較し、当該低域信号ＳＶＬｒが公差ＴＬの範囲内にあるか否かを判断するため、仮に比較器を１つのみ用いて低域信号ＳＶＬｒを基準値ＲＥＦと比較させた場合における、駆動信号ＳＤｒの増加及び減少を交互に繰り返すことにより当該基準値ＲＥＦを挟んで当該駆動信号ＳＤｒをふらつかせることを未然に防止することができる。
【０１２３】
これに応じてレーザ駆動制御部５は、直前の値が保持されたカウント値ＣＴｒを読出用ＤＡＣ３１へ供給することにより直前と同レベルの駆動信号ＳＤｒを生成することができるので、低域信号ＳＶＬｒの信号レベルが公差ＴＬの範囲内に収まった状態を保ち、且つふらつくこと無く安定した出力強度のレーザ光をレーザダイオード８から照射させることができる。
【０１２４】
この結果、光ディスク装置１は、出力強度が安定したレーザ光を光ディスクに照射することができるので、当該光ディスクからデータを安定して高精度に読み出すことができる。
【０１２５】
またレーザ駆動制御部５は、サンプルホールド付ローパスフィルタ２２によって強度信号ＳＶの低域成分のみを抽出することにより、低域以外に含まれる信号成分と共にノイズ成分を全て除去することができるので、低域信号ＳＶＬｒにおけるノイズ成分のパワーを相対的に削減することができる。
【０１２６】
特にレーザ駆動制御部５は、ノイズ成分の信号レベルを公差ＴＬ（図４）よりも格段に小さく抑えることができるため、上限値比較器２７及び下限値比較器２８において上限値ＵＬｒ及び下限値ＬＬｒと低域信号ＳＶＬｒとを正しく比較することができ、アップダウンカウンタ２９において当該低域信号ＳＶＬｒが公差ＴＬの範囲内に入っているか否かを正しく判断することができる。
【０１２７】
さらにレーザ駆動制御部５は、光ディスクにデータを書き込む際にも、レーザ出力制御部６ｗ及びレーザダイオード駆動部７ｗにより、当該光ディスクからデータを読み出す場合と同様にレーザ光の出力強度を制御することができる。
【０１２８】
そのうえレーザ駆動制御部５は、光ディスクにデータを書き込む際、サンプルホールド付ローパスフィルタ２２のサンプルホールド機能を用い、タイミング信号ＴＳｗに基づいて駆動信号ＳＤｗのライトストラテジ（図６）のうちピークパワーとなる部分に相当する強度信号ＳＶのみをサンプルホールドすることにより、他のオーバードライブパワーやリードパワーとなったタイミングにおける強度信号ＳＶの影響を受けることなく、ピークパワーとなったタイミングの強度信号ＳＶのみから低域信号ＳＶＬｗを生成することができる。
【０１２９】
以上の構成によれば、レーザ駆動制御部５は、レーザ光を受光したときの強度信号ＳＶの低域成分のみを抽出して低域信号ＳＶＬを生成し、当該低域信号ＳＶＬを上限値ＵＬ及び下限値ＬＬと比較して当該低域信号ＳＶＬが公差ＴＬの範囲内に収まっている場合、直前のカウンタ値ＣＴから変更せず保持したままのカウンタ値ＣＴを出力し、これに応じた駆動信号ＳＤを生成してレーザダイオード８からレーザ光を出射させることにより、当該低域信号ＳＶＬが公差ＴＬの範囲内に収まった状態を保つと共に駆動信号ＳＤをふらつかせることなく安定させることができ、これにより光ディスク装置１はデータの記録再生精度を向上することができる。
【０１３０】
（５）他の実施の形態
なお上述の実施の形態においては、上限値比較器２７及び下限値比較器２８においてアナログの低域信号ＳＶＬｒをアナログの上限値ＵＬｒ及び下限値ＬＬｒと比較するようにした場合について述べたが、本発明はこれに限らず、例えばディジタル値を比較し得る上限値比較器及び下限値比較器を用いて、ディジタル化した低域信号ＳＶＬｒをディジタルの上限値ＵＬｒ及び下限値ＬＬｒと比較するようにしても良い。
【０１３１】
またこの場合、サンプルホールド付ローパスフィルタ２２の前にアナログディジタル変換器を接続して当該サンプルホールド付ローパスフィルタ２２がディジタル信号を処理するようにしても良い。
【０１３２】
さらにこの場合、例えばレーザ出力制御部６ｒのサンプルホールド付ローパスフィルタ２２、上限値比較器２７、下限値比較器２８及びアップダウンカウンタ２９を全て１つのＤＳＰ（Digital Signal Processor）に置き換え、当該ＤＳＰが図７に示したステップＳＰ２〜ステップＳＰ１０までの処理を全てレーザ出力制御プログラムに従って実行するようにしても良い。
【０１３３】
このレーザ出力制御プログラムは、光ディスク装置１に搭載されたＲＯＭ（Read Only Memory）等に予め格納されていても良く、または外部から当該光ディスク装置１の不揮発性メモリにインストールするようにしても良い。
【０１３４】
また上述の実施の形態においては、データ書込用のレーザダイオード駆動部７ｗにおいて、アップダウンカウンタ４９から出力したカウンタ値ＣＴｗにより書込用ＤＡＣ５２のスケール値ＳＣＬを変更するようにした場合について述べたが、本発明はこれに限らず、例えば当該カウンタ値ＣＴｗに基づいて書込用ＤＡＣ５２から出力する駆動信号ＳＤｗを直接変更するようにしても良い。
【０１３５】
さらに上述の実施の形態においては、制御部２（図１）から供給された基準値ＲＥＦｒ、ＲＥＦｗと許容差ＡＥとの加算及び減算により上限値ＵＬｒ、ＵＬｗ及び下限値ＬＬｒ、ＬＬｗをそれぞれ生成するようにした場合について述べたが、本発明はこれに限らず、例えば当該制御部２から上限値ＵＬｒ、ＵＬｗ及び下限値ＬＬｒ、ＬＬｗが直接供給されるようにしても良い。
【０１３６】
さらに上述の実施の形態においては、サンプルホールド付ローパスフィルタ２２及び４２により低域成分のみを抽出すると同時にノイズ成分のパワーを削減するようにした場合について述べたが、本発明はこれに限らず、例えばノイズ成分が少ない場合に、当該サンプルホールド付ローパスフィルタ２２及び４２に代えて単純なサンプルホールド回路を用いるようにしても良い。
【０１３７】
さらに上述の実施の形態においては、光ディスク装置１が光ディスクに対してデータの書き込み及び読み出しの両方を行い得るようにした場合について述べたが、本発明はこれに限らず、例えば光ディスクに対してデータの書き込みまたは読み出しのいずれか一方のみを行い得る光ディスク装置に適用するようにしても良い。この場合、レーザ駆動制御部５は、レーザ出力制御部６ｗまたはレーザ出力制御部６ｒのいずれか一方と、これに対応したレーザダイオード駆動部７ｗまたはレーザダイオード駆動部７ｒのいずれか一方とを有していれば良い。
【０１３８】
さらに上述の実施の形態においては、本発明をブルーレイディスク（商標）でなる光ディスクに対してデータの記録または再生を行い得る光ディスク装置１に適用するようにした場合について述べたが、本発明はこれに限らず、ＣＤ（Compact Disc）やＤＶＤ（Digital Versatile Disc）等の種々の光ディスクに対してデータの記録または再生を行い得る種々の光ディスク装置に適用するようにしても良い。
【０１３９】
さらに上述の実施の形態においては、強度信号としての低域信号ＳＶＬｒと上限値ＵＬｒとを比較する上限値比較手段としての上限値比較器２７と、低域信号ＳＶＬｒと下限値ＬＬｒとを比較する下限値比較手段としての下限値比較器２８と、出力値としてのカウンタ値ＣＴｒを出力する出力値制御手段としてのアップダウンカウンタ２９とによって光ビーム出力制御装置としてのレーザ出力制御部６ｒを構成する場合について述べたが、本発明はこれに限らず、その他種々の回路構成でなる上限値比較手段と、下限値比較手段と、出力値制御手段とによって光ビーム出力制御装置を構成するようにしても良い。
【０１４０】
さらに上述の実施の形態においては、受光手段としてのモニタフォトダイオード９及び電流電圧変換器２１と、上限値比較手段としての上限値比較器２７と、下限値比較手段としての下限値比較器２８と、出力値制御手段としてのアップダウンカウンタ２９と、光ビーム出力手段としてのレーザダイオード駆動部７及びレーザダイオード８とによって光ディスク装置１を構成する場合について述べたが、本発明はこれに限らず、その他種々の回路構成でなる受光手段と、上限値比較手段と、下限値比較手段と、出力値制御手段と、光ビーム出力手段とによって光ディスク装置を構成するようにしても良い。
【産業上の利用可能性】
【０１４１】
本発明は、レーザダイオードから出射するレーザ光の出力強度を制御する種々の光ディスク装置でも利用できる。
【図面の簡単な説明】
【０１４２】
【図１】本発明による光ディスク装置の回路構成を示すブロック図である。
【図２】本発明によるレーザ駆動制御部の回路構成を示すブロック図である。
【図３】サンプルホールド付ローパスフィルタの構成を示す略線的回路図である。
【図４】低域信号とコンパレータの出力値との関係を示した略線図である。
【図５】アップダウンカウンタの出力値を示す略線図である。
【図６】ライトストラテジの例を示す略線的信号波形図である。
【図７】レーザ出力制御処理手順を示すフローチャートである。
【符号の説明】
【０１４３】
１……光ディスク装置、２……制御部、５……レーザ駆動制御部、６、６ｒ、６ｗ……レーザ出力制御部。７、７ｒ、７ｗ……レーザダイオード駆動部、８……レーザダイオード、９……モニタフォトディテクタ、２２、４２……サンプルホールド付ローパスフィルタ、２３、４３……基準値供給端子、２４、４４……許容差供給端子、２７、４７……上限値比較器、２８、４８……下限値比較器、２９、４９……アップダウンカウンタ、３１……読出用ＤＡＣ、５０……ＰｍａｘＤＡＣ、５２……書込用ＤＡＣ。
【図１】
2006196064.tif 000003
【図２】
2006196064.tif 000004
【図３】
2006196064.tif 000005
【図４】
2006196064.tif 000006
【図５】
2006196064.tif 000007
【図６】
2006196064.tif 000008
【図７】
2006196064.tif 000009